(57)【要約】【課題】太陽光発電パネルの表面に雨水が当たりにくい太陽光発電パネル装置を提供する。【解決手段】各太陽光発電パネル１に庇状の上部ミラー２を設けたため、雨水Ｗは上部ミラー２の背面を伝わって排出され、太陽光発電パネル１の表面に付着しない。そのため、太陽光発電パネル１の表面が汚れにくく、発電効率の低下を防止することができる。太陽光発電パネル１と上部ミラー２が隙間なく隣接しているため、全ての太陽光Ｌを太陽光発電パネル１に当てることができ、上部ミラー２を形成したことによる発電効率の低下を防止することができる。【選択図】        図２
2010199430.tif 000002
【特許請求の範囲】
【請求項１】
太陽光発電パネルを上下方向で所定間隔ごとに複数枚設置した太陽光発電パネル装置であって、
各太陽光発電パネルの上部に設けられ太陽光を前記太陽光発電パネルに導入する庇状の上部ミラーを具備し、前記上部ミラーの断面形状がオフセット放物線で規定されることを特徴とする太陽光発電パネル装置。
【請求項２】
上下方向で隣接する太陽光発電パネルと上部ミラーが隙間なく隣接していることを特徴とする請求項１記載の太陽光発電パネル装置。
【請求項３】
太陽光の光路における前記上部ミラーとその焦点の間に前記各太陽光発電パネルが位置づけられることを特徴とする請求項１記載の太陽光発電パネル装置。
【請求項４】
前記上部ミラーに入射した太陽光は全て前記各太陽光発電パネルに導入されることを特徴とする請求項３記載の太陽光発電パネル装置。
【発明の詳細な説明】
【技術分野】
【０００１】
本発明は太陽光発電パネル装置に関するものである。
【背景技術】
【０００２】
太陽光を受光して電気に変換する太陽光発電パネルの受光面を、常に太陽に真っ直ぐに向けた状態に制御して発電効率を高めるようにした太陽光発電パネル装置が知られている（例えば、特許文献１参照）。
【先行技術文献】
【特許文献】
【０００３】
【特許文献１】特開２００８−２０２８３１号公報
【発明の概要】
【発明が解決しようとする課題】
【０００４】
しかしながら、このような従来の技術にあっては、太陽光発電パネルの表面に雨水が直接当たるため、汚れやすく、太陽光発電パネルの発電効率を低下させていた。
【０００５】
本発明は、このような従来の技術に着目してなされたものであり、太陽光発電パネルの表面に雨水が当たりにくい太陽光発電パネル装置を提供するものである。
【課題を解決するための手段】
【０００６】
請求項１記載の発明は、太陽光発電パネルを上下方向で所定間隔ごとに複数枚設置した太陽光発電パネル装置であって、各太陽光発電パネルの上部に設けられ太陽光を前記太陽光発電パネルに導入する庇状の上部ミラーを具備し、前記上部ミラーの断面形状がオフセット放物線で規定されることを特徴とする。
【０００７】
請求項２記載の発明は、上下方向で隣接する太陽光発電パネルと上部ミラーが隙間なく隣接していることを特徴とする。
【０００８】
請求項３記載の発明は、太陽光の光路における前記上部ミラーとその焦点の間に前記各太陽光発電パネルが位置づけられることを特徴とする。
【０００９】
請求項４記載の発明は、前記上部ミラーに入射した太陽光は全て前記各太陽光発電パネルに導入されることを特徴とする。
【発明の効果】
【００１０】
請求項１記載の発明によれば、各太陽光発電パネルに庇状の上部ミラーを設けたため、雨水は上部ミラーの背面を伝わって排出され、太陽光発電パネルの表面に付着しない。そのため、太陽光発電パネルの表面が汚れにくく、発電効率の低下を防止することができる。
【００１１】
請求項２記載の発明によれば、上下方向で隣接する太陽光発電パネルと上部ミラーが隙間なく隣接しているため、全ての太陽光を太陽光発電パネルに当てることができ、上部ミラーを形成したことによる発電効率の低下を防止することができる。
【００１２】
請求項３および４記載の発明によれば、上部ミラーに入射した太陽光が効率よく太陽光発電パネルに導入される。
【図面の簡単な説明】
【００１３】
【図１】太陽光発電パネル装置を示す斜視図。
【図２】上部ミラーの光学的性能を示す図。
【図３】上部ミラー及び太陽光発電パネルを示す断面図。
【図４】上部ミラーの比較例を示す断面図。
【発明を実施するための形態】
【００１４】
図１〜図３は、本発明の好適な実施形態を示す図である。横長で所定の幅Ａを有する太陽光発電パネル１が所定の隙間Ｂを隔てた状態で、上下方向で複数組み付けられている。隙間Ｂは太陽光発電パネル１の幅Ａと同じサイズに設定されている。各太陽光発電パネル１の上部には、前記隙間Ｂに相当する開口サイズを有する上部ミラー２が取付けられている。上下で隣接する太陽光発電パネル１と上部ミラー２とは隙間なく隣接している。
【００１５】
上部ミラー２は内面が鏡面になっており、その断面が放物線の一部を規定する放物型曲面であり焦点Ｆを有する。さらに鏡面は焦点Ｆに対して上部ミラー２の開口部Ｂがオフセットした放物型曲面である。本実施例では焦点Ｆは上部ミラー２の下方の外れた位置にある。なおオフセット放物型曲面は上部ミラー２の長手方向に延在しており、焦点Ｆは長手方向に平行な直線上に存在する。
【００１６】
太陽光発電パネルは太陽光Ｌの光路上における各上部ミラー２とその焦点Ｆの間に位置づけられる。すなわち、上部ミラー２の鏡面で反射された太陽光は焦点Ｆに向かうがすべて太陽光発電パネル１で遮蔽されるように構成されるため、太陽光発電パネル１には開口部Ａに直接入射する太陽光と開口部Ｂから入射して上部ミラー２で反射された太陽光Ｌとが導入される。
【００１７】
上部ミラー２を有する複数の太陽光発電パネル１にて形成された構造体は、ベース３の上部で水平方向に回転自在であると共に、アーム４に沿って角度を変更することができる。従って、太陽光発電パネル１の表面（受光面）は常に太陽に向けられた状態となり、太陽光Ｌは太陽光発電パネル１の表面に対して垂直に入射する。
【００１８】
このような構造にあって、各太陽光発電パネル１の上部には庇状の上部ミラー２が存在するため、雨水Ｗが降ってきても、上部ミラー２の背面に沿って排出され、太陽光発電パネル１の表面に接しにくい。従って、太陽光発電パネル１の表面の汚れを防止することができる。
【００１９】
また、太陽光発電パネル１間の隙間Ｂの太陽光Ｌは上部ミラー２により太陽光発電パネル１に導入される。上部ミラー２がオフセット放物型の凹面形状のため、図２に示すように、上部ミラー２に入光した太陽光Ｌの全てを太陽光発電パネル１に当てることができる。従って、隙間Ｂを設けた構造でありながら、太陽光発電パネル１に入射する太陽光Ｌの量は低下することがなく、発電効率の維持を図ることができる。
【００２０】
例えば、オフセット放物面形状の代わりに平板状の上部ミラー５を用いると、特に上部ミラー５の上部で反射した太陽光Ｌが集光せず太陽光発電パネル１から外れてしまい発電効率の低下を招くことになる。また、平板状の上部ミラー５で開口部Ｂに入射した太陽光を全て太陽光発電パネルに導入しようとすると上部ミラー５の高さが長大となって大型となり強度、重量などの点で問題がある。
【００２１】
以上説明したように、この発明によれば、雨水Ｗによる汚れ防止と、発電効率の維持を図ることができる。また上部ミラーをオフセット放物面形状とすることによりコンパクトに構成することができるので軽量かつ強固な庇とすることができる。尚、少ない面積の太陽光発電パネル１で、高い発電効率を維持できるため、コストの面においても有利である。
【符号の説明】
【００２２】
１  太陽光発電パネル
２  上部ミラー
３  ベース
４  アーム
Ａ  太陽光発電パネルの幅
Ｂ  隙間
Ｆ  焦点
Ｌ  太陽光
Ｗ  雨水
【図１】
2010199430.tif 000003
【図２】
2010199430.tif 000004
【図３】
2010199430.tif 000005
【図４】
2010199430.tif 000006